(57)【特許請求の範囲】
【請求項１】
一端部に設けられた連結部を中心に上下の鉛直方向に開閉自在に連結される一対の長板状の支持部材と、それぞれの前記支持部材が開く方向へ付勢するバネ部材と、それぞれの前記支持部材の他端部に互いに略平行で設けられた一対の箱状の切断刃収納部と、それぞれの前記切断刃収納部は上下の鉛直方向に互いに当接して切断する長板状の切断刃と、を備えた切断器であって、
対象物の切断方向に向かって、それぞれの前記切断刃は、それぞれの前記切断刃の伸出する長手方向に、略ハの字形状で互いに開くようにそれぞれの前記切断刃収納部に支持されて取り付けられているとともに、前記切断刃は、収納する長手方向に前記切断刃収納部に収納可能であり、伸出自在に設けられていることを特徴とする切断器
【請求項２】
請求項１に記載の切断器において、前記切断刃収納部の左右の側面には、溝が形成されているとともに、前記溝に嵌合する平面視して略コの字形状のカバーを有することを特徴とする切断器セット
【発明の詳細な説明】
【技術分野】
【０００１】
この発明は手の指が不自由な方でも容易に紙を切ることが可能な切断器及び切断器セットに関する。
【背景技術】
【０００２】
これまでや現在でも一般的なハサミはまったく同じ形をしており、ただ大きさを変えたり収納しやすくするなどといった工夫がされています。さらに、主流であるハサミは手の親指と中指を使ってハサミ刃を上下させて紙を切断するものである。しかし、特に手の中指が不自由な人は、使いづらいために、このような人でも、楽に紙を切れるユニバーサルデザインのハサミ（切断器）が必要である。また、特許文献１に示すような、紙パックの専用の切断器もあった。
【先行技術文献】
【特許文献】
【０００３】
【特許文献１】特開２００５−２１１１９３
【発明の概要】
【発明が解決しようとする課題】
【０００４】
本発明では、特に手の中指が不自由な人でも楽に紙を切れる切断器を提供する。
【課題を解決するための手段】
【０００５】上記の目的を達成するための第一の発明に係る切断器は、一端部に設けられた連結部を中心に上下の鉛直方向に開閉自在に連結される一対の長板状の支持部材と、それぞれの前記支持部材が開く方向へ付勢するバネ部材と、それぞれの前記支持部材の他端部に互いに略平行で設けられた一対の箱状の切断刃収納部と、それぞれの前記切断刃収納部は上下の鉛直方向に互いに当接して切断する長板状の切断刃と、を備えた切断器であって、
それぞれの前記切断刃は、それぞれの前記切断刃の伸出する長手方向に、略ハの字形状で互いに開くようにそれぞれの前記切断刃収納部に支持されて取り付けられているとともに、前記切断刃は、収納する長手方向に前記切断刃収納部に収納可能であり、伸出自在に設けられている。【０００６】第二の発明に係る切断器は、請求項１記載の切断器において、前記切断刃収納部の左右の側面には、溝が形成されているとともに、前記溝に嵌合する平面視して略コの字形状のカバーを有することを特徴とする。
【発明の効果】
【０００８】第一の発明においては、ホッチキスのような形状で、危険性が少なくなるようにハサミと同じような刃を内側に付ける。使用時は例として紙を挟み込むように切っていくことができるとともに、両刃を持つ部分からスライドさせ突き出させることで本来のハサミに似て、刃先の方向に注意しながらの切り方もできる。【０００９】第二の発明においては、刃先を保護して収納することができる。
【図面の簡単な説明】
【００１１】
【図１】本発明の一実施の形態である切断器及びそのカバーの斜視図である。
【図２】同切断器の切断刃が伸延された状態を示す説明図である。
【図３】同切断器で切断刃が収納された状態で紙を切断している説明図である。
【図４】同切断器で切断刃が伸延された状態で紙を切断している説明図である。
【発明を実施するための形態】
【００１２】
本発明の実施例を図１から図４に基づいて説明する。
【００１３】
図１は、切断器１０とカバー１９を示す斜視図であり、切断器１０は、一端部に設けられた連結部１１を中心に上下の鉛直方向に開閉自在に連結される一対の長板状の支持部材１２ａ、１２ｂと、それぞれの支持部材１２ａ、１２ｂが開く方向へ付勢するバネ部材１３と、それぞれの支持部材１２ａ、１２ｂの他端部に互いに略平行で設けられた一対の箱状の切断刃収納部１４ａ、１４ｂと、それぞれの切断刃収納部１４ａ、１４ｂは上下の鉛直方向に互いに当接して切断する長板状の切断刃１５ａ、１５ｂと、を備えている。そして、対象物（図示せず）の切断方向に向かって、それぞれの切断刃１５ａ、１５ｂの長手方向には、略ハの字形状で互いに開くように支持されて取り付けられている。また、切断刃収納部１４ａ、１４ｂは方形状であり長手方向の側面部にスライド溝１７ａ、１７ｂ（図２で示す）が長手方向に設けられ、スライド溝１７ａ、１７ｂに沿ってスライドするツマミ１６ａ、１６ｂが切断刃１５ａ、１５ｂと一部が接続され設けられている。さらに、切断刃収納部１４ａ、１４ｂの短手方向の側面部にカバー溝１８ａ、１８ｂ、１８ｃ、１８ｄが設けられておる。また、カバー１９は、平面視してコの字形状の平板であり、その内側に線状突起２０ａ、２０ｂ、２０ｃ、２０ｄが、カバー溝１８ａ、１８ｂ、１８ｃ、１８ｄに対応するように設けられている。なお、バネ部材１３はトーションばねである。又、切断器１０の大きさは幅約５０ｍｍ程度、長さ約１２０ｍｍ程度、厚さ約５０ｍｍ程度（切断刃１５ａ、１５ｂが互いに開いている状態）である。
【００１４】
図２は、切断器の切断刃が伸延された状態を示す説明図である。切断刃収納部１４ａ、１４ｂを側部方向から見た図である。切断刃収納部１４ａ、１４ｂの側面部にスライド溝１７ａ、１７ｂが設けられており、切断刃１５ａ、１５ｂが左側にスライドされて、切断刃収納部１４ａ、１４ｂより突出している状態である。そして、ツマミ１６ａ、１６ｂがスライド溝１７ａ、１７ｂに沿って左右に可動自在にスライドする。なお、切断刃１５ａ、１５ｂの形状は、刃先が細くなっており、紙などを切るときに切り易くなっている。切断刃収納部１４ａ、１４ｂの大きさは幅約３０ｍｍ程度、長さ約５０ｍｍ程度、厚さ約１５ｍｍ程度である。また、切断刃１５ａ、１５ｂの大きさは幅約７ｍｍ程度（刃先は約４ｍｍ）、長さ約４０ｍｍ程度、厚さ約１ｍｍ程度である。
【００１５】
図３は、切断器で切断刃が収納された状態で紙を切断している説明図である。切断器１０で紙２１を切断しており、このように紙２１の短辺に沿って切断器１０を上下に動かしながら移動させ紙２１を切断していく。
【００１６】
図４は、切断器で切断刃が伸延された状態で紙を切断している説明図である。切断器１０の切断刃収納部１４ａ、１４ｂより切断刃１５ａ、１５ｂが突出している状態で紙２１を切断しており、このように紙２１の短辺に沿って切断器１０を上下に動かしながら移動させ紙２１を切断していく。また、切断刃１５ａ、１５ｂが切断刃収納部１４ａ、１４ｂより、突出しているので、刃先が見えているので、切断する方向が見えて切り易い。
【産業上の利用可能性】
【００１７】
本発明は、手の指が不自由な方でも容易に紙を切ることが可能な切断器及び切断器セットであり、ユニバーサルな商品に応用ができる。
【符号の説明】
【００１８】
１０：切断器、１１：連結部、１２ａ〜１２ｂ：支持部材、１３：バネ部材、１４ａ〜１４ｂ：切断刃収納部、１５ａ〜１５ｂ：切断刃、１６ａ〜１６ｂ：ツマミ、１７ａ〜１７ｂ：スライド溝、１８ａ〜１８ｄ：カバー溝、１９：カバー、２０ａ〜２０ｄ：線状突起、２１：紙
【要約】      （修正有）【課題】手の指が不自由な方でも容易に紙を切ることが可能な切断器及び切断器セットを提供する。【解決手段】一端部に設けられた連結部１１を中心に上下の鉛直方向に開閉自在に連結される一対の長板状の支持部材１２ａ、１２ｂと、それぞれの支持部材１２ａ、１２ｂが開く方向へ付勢するバネ部材１３と、それぞれの支持部材１２ａ、１２ｂの他端部に互いに略平行で設けられた一対の箱状の切断刃収納部１４ａ、１４ｂと、それぞれの切断刃収納部１４ａ、１４ｂは上下の鉛直方向に互いに当接して切断する長板状の切断刃１５ａ、１５ｂと、を備えた切断器１０であって、対象物の切断方向に向かって、それぞれの切断刃１５ａ、１５ｂの長手方向には、略ハの字形状で互いに開くように支持されて取り付けられている。【選択図】図１【図１】
0006856308.tif 000002
【図２】
0006856308.tif 000003
【図３】
0006856308.tif 000004
【図４】
0006856308.tif 000005